(57)【要約】【課題】簡単な構造で容易にＵ形側溝を反転させることができるＵ形側溝反転器具を提供する。【解決手段】Ｕ形側溝反転器具１は、Ｕ形側溝Ｍの伸長方向における両端部を挟持する一対の挟持部材１０と、この挟持部材１０を回転可能に支持する支持部材とを備える。挟持部材１０は、Ｕ形側溝Ｍの端部に配置される端部材１１と、端部材１１に配設され、Ｕ形側溝Ｍの内側を支持する突起状の内側突起部１２と、端部材１１に対して着脱可能に配設され、Ｕ形側溝Ｍの外側を支持する突起状の外側突起部１３とを有している。【選択図】図２
2018115439.tif 000002
【特許請求の範囲】
【請求項１】
Ｕ形状の溝部の開口側に、内側面及び外側面を外側に拡大した拡大部が設けられたＵ形側溝を反転させるＵ形側溝反転器具であって、
前記Ｕ形側溝の両端部を挟持する一対の挟持部材と、
この挟持部材を回転可能に支持する支持部材とを備え、
前記挟持部材は、
前記Ｕ形側溝の端部に配置される端部材と、
前記端部材に配設され、前記拡大部に対応して、前記拡大部の内側面よりも内側で、かつ、前記溝部の内側面よりも外側の位置において、前記Ｕ形側溝の内側を支持する突起状の内側突起部と、
前記端部材に対して着脱可能に配設され、前記溝部に対応して、前記拡大部の外側面よりも内側で、かつ、前記溝部の外側面よりも外側の位置において、前記Ｕ形側溝の外側を支持する突起状の外側突起部と
を有することを特徴とするＵ形側溝反転器具。
【請求項２】
前記外側突起部を着脱可能に保持し、前記溝部に対応して、前記溝部の外側面よりも外側に位置するように、前記端部材に配設された突起状の外側突起保持部を備え、
前記外側突起部には、前記外側突起保持部が嵌合する嵌合部が設けられた
ことを特徴とする請求項１記載のＵ形側溝反転器具。
【請求項３】
前記挟持部材の回転中心は、前記Ｕ形側溝の横断面視における重心、又は、この重心よりも開口側に偏った位置とされたことを特徴とする請求項１又は請求項２記載のＵ形側溝反転器具。
【発明の詳細な説明】
【技術分野】
【０００１】
本発明は、Ｕ形状の溝部の開口側に、内側面及び外側面を外側に拡大した拡大部が設けられたＵ形側溝を反転させるＵ形側溝反転器具に関する。
【背景技術】
【０００２】
排水溝に用いられるＵ形側溝は、製作にあたり型枠を外すと開口が下向きになるのが通常であり、また、ごみや雨水の停留を避けるためにも、開口を下向きにして保管及び運搬される。よって、施工に際しては、現場においてＵ型側溝を反転させて、底面を下側にする必要がある。しかし、この反転作業は手間がかかり、更に、ひび割れや欠損が生じてしまう場合もあった。そこで、従来より、Ｕ形側溝を容易に反転させるための反転器具が提案されている。
【０００３】
例えば、特許文献１には、保持体にクランプ本体を回動自在に取り付け、クランプ本体に、Ｕ形側溝の対向する側壁部分を両側から挟持する一対の挟持手段と、Ｕ形側溝の底面を支持する支持アームとを設けた反転器具が記載されている。この反転器具によれば、クランプ本体を回転させることにより、容易にＵ形側溝を反転させることができる。
【先行技術文献】
【特許文献】
【０００４】
【特許文献１】特開平１−２９４１９７号公報
【発明の概要】
【発明が解決しようとする課題】
【０００５】
しかしながら、特許文献１に記載の反転器具は、Ｕ形側溝の対向する側壁部分を両側から一対の挟持手段で挟持すると共に、底面を支持アームで支持するので、挟持手段による挟持及び挟持を解除するための駆動機構が必要であり、構造が複雑であるという問題があった。また、底面を支持アームで支持するので、Ｕ形側溝を反転させて置いた時に、支持アームがＵ形側溝の下に入ってしまい、支持アームの取り外しが大変であるという問題があった。
【０００６】
本発明は、このような問題に基づきなされたものであり、簡単な構造で容易にＵ形側溝を反転させることができるＵ形側溝反転器具を提供することを目的とする。
【課題を解決するための手段】
【０００７】
本発明のＵ形側溝反転器具は、Ｕ形状の溝部の開口側に、内側面及び外側面を外側に拡大した拡大部が設けられたＵ形側溝を反転させるものであって、Ｕ形側溝の両端部を挟持する一対の挟持部材と、この挟持部材を回転可能に支持する支持部材とを備え、挟持部材は、Ｕ形側溝の端部に配置される端部材と、端部材に配設され、拡大部に対応して、拡大部の内側面よりも内側で、かつ、溝部の内側面よりも外側の位置において、Ｕ形側溝の内側を支持する突起状の内側突起部と、端部材に対して着脱可能に配設され、溝部に対応して、拡大部の外側面よりも内側で、かつ、溝部の外側面よりも外側の位置において、Ｕ形側溝の外側を支持する突起状の外側突起部とを有するものである。
【発明の効果】
【０００８】
本発明のＵ形側溝反転器具によれば、Ｕ形側溝の両端部を挟持する一対の挟持部材を回転可能に支持部材により支持するようにしたので、Ｕ形側溝を挟持して回転させることにより、容易に反転させることができる。また、挟持部材は、拡大部に対応して、拡大部の内側面よりも内側で、かつ、溝部の内側面よりも外側の位置に突起状の内側突起部を有すると共に、溝部に対応して、拡大部の外側面よりも内側で、かつ、溝部の外側面よりも外側の位置に突起状の外側突起部を着脱可能に有するようにしたので、内側突起部によりＵ形側溝の内側を支持し、外側突起部によりＵ形側溝の外側を支持して、Ｕ形側溝を反転させることができる。更に、反転させた後は、外側突起部を取り外すことにより、容易に、挟持部材を上に持ち上げてＵ形側溝から取り外すことができる。よって、Ｕ形側溝を目的の位置に置いて挟持部材を取り外すことができ、挟持部材を取り外したのちにＵ形側溝を移動させる手間を軽減することができる。
【０００９】
また、溝部に対応して、溝部の外側面よりも外側に位置するように突起状の外側突起保持部を設け、外側突起部には、外側突起保持部が嵌合する嵌合部を設けるようにすれば、容易に外側突起部を着脱することができ、かつ、外側突起部を取り外したのちに、容易に、挟持部材をＵ形側溝から取り外すことができる。
【００１０】
更に、挟持部材の回転中心をＵ形側溝の横断面視における重心、又は、この重心よりも開口側に偏った位置とするようにすれば、自重を利用してＵ形側溝をより容易に反転させることができる。
【図面の簡単な説明】
【００１１】
【図１】本発明の一実施の形態に係るＵ形側溝反転器具の構成を表す図である。
【図２】図１に示したＵ形側溝反転器具をＩＩ方向から見た構成を表す図である。
【図３】図１に示したＩＩＩ−ＩＩＩ線に沿った断面図である。
【図４】図１に示したＵ形側溝反転器具の使用方法を説明する図である。
【発明を実施するための形態】
【００１２】
以下、本発明の実施の形態について図面を参照して詳細に説明する。
【００１３】
図１は、本発明の一実施の形態に係るＵ形側溝反転器具１の構成を表すものである。図２は、図１に示したＵ形側溝反転器具１をＩＩ方向から見た構成を表すものであり、（Ａ）はＵ形側溝Ｍを取り付けていない状態、（Ｂ）は開口が下を向いたＵ形側溝Ｍを取り付けた状態を表し、（Ｃ）はＵ形側溝Ｍを（Ｂ）から反転させ開口を上に向けた状態を表している。図３は、図１に示したＩＩＩ−ＩＩＩ線に沿った断面構成を表すものである。このＵ形側溝反転器具１は、Ｕ形状の溝部Ｍ１の開口側に、内側面及び外側面を外側に拡大した拡大部Ｍ２が設けられたＵ形側溝Ｍ、例えば、落ちふた式Ｕ形側溝を反転させる際に好ましく用いることができるものである。
【００１４】
このＵ形側溝反転器具１は、例えば、Ｕ形側溝Ｍの伸長方向における両端部を挟持する一対の挟持部材１０と、この挟持部材１０を回転可能に支持する支持部材２０とを備えている。支持部材２０は、例えば、各挟持部材１０を個別に回転可能に支持する一対の支持腕部２１と、この一対の支持腕部２１をＵ形側溝Ｍの伸長方向において連結する連結部２２とを有しており、これらは組み立て可能とされていることが好ましい。
【００１５】
挟持部材１０は、例えば、Ｕ形側溝Ｍの端部に配置される端部材１１と、端部材１１に配設され、Ｕ形側溝Ｍの内側を支持する突起状の内側突起部１２と、端部材１１に対して着脱可能に配設され、Ｕ形側溝Ｍの外側を支持する突起状の外側突起部１３とを有している。端部材１１は、例えば、板状部材により構成されている。端部材１１の高さ方向の大きさは、Ｕ形側溝Ｍの高さ方向の大きさよりも小さく、Ｕ形側溝の端部に配置した時に、上下ともＵ形側溝Ｍからはみ出ないように構成することが好ましい。Ｕ形側溝Ｍを下に置いた状態で、容易に挟持部材１０を取り付け、取り外しすることができるからである。
【００１６】
内側突起部１２は、例えば、Ｕ形側溝Ｍの拡大部Ｍ２に対応して、拡大部Ｍ２の内側面よりも内側で、かつ、溝部Ｍ１の内側面よりも外側の位置において、Ｕ形側溝Ｍの内側を支持するように設けられている。例えば、内側突起部１２は、Ｕ形側溝Ｍの内側面の拡大部Ｍ２において対向する部分に当接する第１内側当接部１２Ａが設けられていることが好ましく、更に、Ｕ形側溝Ｍの内側面が段差的に拡大している内側段差部分Ｍ３に当接する第２内側当接部１２Ｂが設けられていることが好ましい。Ｕ形側溝Ｍの内側を安定して支持することができるからである。
【００１７】
なお、図１及び図２では、一対の内側突起部１２を設ける場合について示したが、一体として連続的に設けるようにしてもよいし、また、第１内側当接部１２Ａと、第２内側当接部１２Ｂとを分割して設けるようにしてもよい。
【００１８】
外側突起部１３は、例えば、Ｕ形側溝Ｍの溝部Ｍ１に対応して、拡大部Ｍ２の外側面よりも内側で、かつ、溝部Ｍ１の外側面よりも外側の位置において、Ｕ形側溝Ｍの外側を支持するように設けられている。例えば、外側突起部１３は、Ｕ形側溝Ｍの外側面の溝部Ｍ１に当接する第１外側当接部１３Ａが設けられていることが好ましい。また、外側突起部１３は、Ｕ形側溝Ｍの外側面が段差的に拡大している外側段差部分Ｍ４の近傍に設けられていることが好ましく、一部が当接するように設けられていればより好ましい。外側段差部分Ｍ４を係止することにより安定して支持することができるからである。
【００１９】
なお、図１及び図２では、外側突起部１３を直方体状に構成し、外側突起部１３がＵ形側溝Ｍの外側段差部分Ｍ４と点状または線状に当接する場合について示したが、Ｕ形側溝Ｍの外側段差部分Ｍ４に面状に当接する第２外側当接部（図示せず）を設けるようにしてもよい。この場合、例えば、外側突起部１３を多角柱状に構成してもよく、また、第２外側当接部（図示せず）を突出して設けるようにしてもよい。
【００２０】
端部材１１には、更に、Ｕ形側溝Ｍの溝部Ｍ１に対応して、溝部Ｍ１の外側面よりも外側に位置するように、外側突起部１３を着脱可能に保持するための突起状の外側突起保持部１４が設けられていることが好ましい。これに対応して、外側突起部１３には、外側突起保持部１４が嵌合する孔状又は凹状の嵌合部１３Ｂが設けられていることが好ましい。外側突起保持部１４に嵌合部１３Ｂを嵌め合せることにより、容易に外側突起部１３を着脱することができ、かつ、外側突起部１３を取り外したのちに、挟持部材１０を上に持ち上げて容易にＵ形側溝Ｍから取り外すことができるからである。
【００２１】
なお、挟持部材１０の回転中心は、Ｕ形側溝Ｍの横断面視における重心、又は、この重心よりも開口側に偏った位置とすることが好ましい。Ｕ形側溝Ｍの自重を利用して容易に反転させることができるからである。
【００２２】
このＵ形側溝反転器具１は、例えば、次のようにして用いることができる。まず、例えば、図２（Ｂ）に示したように、外側突起保持部１４に外側突起部１３を嵌合した状態で、開口側を下に向けた状態のＵ形側溝Ｍの両端部に一対の挟持部材１０を配置する。具体的には、例えば、内側突起部１２を拡大部Ｍ２の内側に合わせ、外側突起部１３を溝部Ｍ１の外側に合わせて、Ｕ形側溝Ｍの両側から嵌め込む。次いで、例えば、支持部材２０により一対の挟持部材１０を持ち上げ、Ｕ形側溝Ｍの自重を利用して、図２（Ｃ）に示したように、挟持部材１０及びＵ形側溝Ｍを反転させ、開口側を上に向ける。続いて、例えば、Ｕ形側溝Ｍを所定の位置に移動し、下に降ろす。そののち、例えば、図４に示したように、外側突起保持部１４から外側突起部１３を取り外し、挟持部材１０を上に持ち上げることにより、Ｕ形側溝Ｍから取り外す。これにより、Ｕ形側溝Ｍを反転させて、所定の位置に置くことができる。
【００２３】
このように、本実施の形態によれば、Ｕ形側溝Ｍの両端部を挟持する一対の挟持部材１０を回転可能に支持部材２０により支持するようにしたので、Ｕ形側溝Ｍを挟持して回転させることにより、容易に反転させることができる。また、挟持部材１０は、拡大部Ｍ２に対応して、拡大部Ｍ２の内側面よりも内側で、かつ、溝部Ｍ１の内側面よりも外側の位置に突起状の内側突起部１２を有すると共に、溝部Ｍ１に対応して、拡大部Ｍ２の外側面よりも内側で、かつ、溝部Ｍ１の外側面よりも外側の位置に突起状の外側突起部１３を着脱可能に有するようにしたので、内側突起部１２によりＵ形側溝Ｍの内側を支持し、外側突起部１３によりＵ形側溝Ｍの外側を支持して、Ｕ形側溝Ｍを反転させることができる。更に、反転させた後は、外側突起部１３を取り外すことにより、容易に、挟持部材１０を上に持ち上げてＵ形側溝Ｍから取り外すことができる。よって、Ｕ形側溝Ｍを目的の位置に置いて挟持部材１０を取り外すことができ、挟持部材１０を取り外したのちにＵ形側溝Ｍを移動させる手間を軽減することができる。
【００２４】
また、溝部Ｍ１に対応して、溝部Ｍ１の外側面よりも外側に位置するように突起状の外側突起保持部１４を設け、外側突起部１３には、外側突起保持部１４が嵌合する嵌合部１３Ｂを設けるようにすれば、容易に外側突起部１３を着脱することができ、かつ、外側突起部１３を取り外したのちに、容易に、挟持部材１０をＵ形側溝Ｍから取り外すことができる。
【００２５】
更に、挟持部材１０の回転中心をＵ形側溝Ｍの横断面視における重心、又は、この重心よりも開口側に偏った位置とするようにすれば、自重を利用してＵ形側溝Ｍをより容易に反転させることができる。
【００２６】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２７】
Ｕ形側溝Ｍの反転に用いることができる。
【符号の説明】
【００２８】
１…Ｕ形側溝反転器具、１０…挟持部材、１１…端部材、１２…内側突起部、１２Ａ…第１内側当接部、１２Ｂ…第２内側当接部、１３…外側突起部、１３Ａ…外側当接部、１３Ｂ…嵌合部、１４…外側突起保持部、２０…支持部材、２１…支持腕部、２２連結部、
Ｍ…Ｕ形側溝、Ｍ１…溝部、Ｍ２…拡大部、Ｍ３…内側段差部分、Ｍ４…外側段差部分
【図１】
2018115439.tif 000003
【図２】
2018115439.tif 000004
【図３】
2018115439.tif 000005
【図４】
2018115439.tif 000006